(57)【要約】【課題】  走査電極ラインの基準電位が変わる電子放出ディスプレイ装置を提供する。【解決手段】  カソード電極ラインと，ゲート電極ラインと，蛍光セルと，正極板と，を含み，カソード電極ラインは，電子放出源と電気的に連結され，ゲート電極ラインにおいて，カソード電極ラインと対向する領域には，電子放出源に対応する貫通口が形成され，蛍光セルは，ゲート電極ラインの貫通口に対応して形成され，正極板には，電子放出源からの電子が蛍光セルに移動するように電圧が印加され，ここで，単位フレームで走査パルスがゲート電極ラインに順次的に印加され，ゲート電極ラインがカソード電極ラインの駆動端子と遠くなるほどゲート電極ラインの基準電位が上昇することによって各走査パルスの電位が上昇する電子放出ディスプレイ装置である。これにより，ディスプレイされる映像の再現性が高まれ，暗い映像及び明るい映像のディスプレイの品質が効率的に向上されうる。【選択図】    図４
2006178394.tif 000002
【特許請求の範囲】
【請求項１】
電子放出源と電気的に連結されたカソード電極ラインと；
前記カソード電極ラインと対向する領域に前記電子放出源に対応する貫通口が形成されたゲート電極ラインと；
前記ゲート電極ラインの貫通口に対応して形成された蛍光セルと；
前記電子放出源からの電子が前記蛍光セルに移動するように電圧が印加される正極板と；を含んだ電子放出ディスプレイ装置であって：
単位フレーム毎に走査パルスを前記ゲート電極ラインに順次印加し，前記ゲート電極ラインが前記カソード電極ラインの駆動端子と遠くなるほど前記ゲート電極ラインに印加する基準電圧を高くすることによって各走査パルスの電位が上昇するように制御することを特徴とする電子放出ディスプレイ装置。
【請求項２】
前記単位フレーム毎の前記ゲート電極ラインの平均基準電位が前記単位フレーム毎の平均階調に反比例することを特徴とする請求項１に記載の電子放出ディスプレイ装置。
【請求項３】
前記カソード電極ラインの基準電位が一定になるように制御することを特徴とする請求項１または請求項２のいずれかに記載の電子放出ディスプレイ装置。
【請求項４】
走査パルスがいずれか一つのゲート電極ラインに印加される間に，前記カソード電極ラインの基準電位より高いバイアス電位から前記カソード電極ラインの基準電位に下降するデータパルスを前記カソード電極ラインに印加することを特徴とする請求項２または請求項３のいずれかに記載の電子放出ディスプレイ装置。
【請求項５】
前記カソード電極ラインの駆動端子に一番近いゲート電極ラインの基準電位が前記カソード電極ラインの基準電位より高くなるように制御することを特徴とする請求項４に記載の電子放出ディスプレイ装置。
【請求項６】
前記データパルスのそれぞれの幅をディスプレイ階調に比例して変えることを特徴とする請求項４または請求項５のいずれかに記載の電子放出ディスプレイ装置。
【請求項７】
前記正極板の正極性電位が，前記走査パルスの最高電位より高くなるように前記正極板に正極性電圧を印加することを特徴とする請求項１〜請求項６のいずれかに記載の電子放出ディスプレイ装置。
【請求項８】
電子放出源と電気的に連結されたカソード電極ラインと；
前記カソード電極ラインと対向する領域に前記電子放出源に対応する貫通口が形成されたゲート電極ラインと；
前記ゲート電極ラインの貫通口に対応して形成された蛍光セルと；
前記電子放出源からの電子が前記蛍光セルに移動するように電圧が印加される正極板と；を含んだ電子放出ディスプレイ装置の制御方法であって：
単位フレーム毎に走査パルスを前記ゲート電極ラインに順次印加し，前記ゲート電極ラインが前記カソード電極ラインの駆動端子と遠くなるほど前記ゲート電極ラインに印加する基準電圧を高くすることによって各走査パルスの電位が上昇するように電子放出ディスプレイ装置を制御することを特徴とする電子放出ディスプレイ装置の制御方法。
【発明の詳細な説明】
【技術分野】
【０００１】
本発明は，電子放出ディスプレイ装置に係り，より詳しくは，カソード電極ラインと，カソード電極ラインと，ゲート電極ラインと，蛍光セルと，正極板と，を含んだ電子放出ディスプレイ装置に関する。
【背景技術】
【０００２】
従来から，電子放出ディスプレイ装置と関連した種々の技術が提案されている（たとえば，特許文献１を参照。）。このような従来の電子放出ディスプレイ装置のパネルは，基本的にカソード電極ラインと，ゲート電極ラインと，蛍光セルと，正極板と，を含んでいて，カソード電極ラインは，電子放出源と電気的に連結される。ゲート電極ラインにおいて，カソード電極ラインと対向する領域には，電子放出源に対応する貫通口が形成される。蛍光セルは，ゲート電極ラインの貫通口に対応して形成される。正極板には，電子放出源からの電子が蛍光セルに移動するように電圧が印加される。ほとんどの場合，ゲート電極ラインは，走査電極ラインとして使用され，カソード電極ラインは，データ電極ラインとして使用される。
【０００３】
【特許文献１】米国特許出願公開第１２２，１１８号明細書
【発明の開示】
【発明が解決しようとする課題】
【０００４】
しかし，上述した従来の電子放出ディスプレイ装置では，データ電極ラインとしてのカソード電極ラインに内部抵抗が生じる。これにより，画素がデータ電極ラインとしてのカソード電極ラインの駆動端子と遠くなるほど画素の輝度が低くなる。この結果，従来の電子放出ディスプレイ装置では，映像の再現性が低くなるという問題点があった。
【０００５】
本発明は，このような問題に鑑みてなされたもので，その目的とするところは，カソード電極ラインの内部抵抗による輝度偏差を効率的に補正することによって，映像の再現性を高める，新規かつ改良された電子放出ディスプレイ装置を提供することにある。
【課題を解決するための手段】
【０００６】
上記課題の少なくとも一つを解決するために，本発明の電子放出ディスプレイ装置は，カソード電極ラインと，ゲート電極ラインと，蛍光セルと，正極板と，を含む。上記カソード電極ラインは，電子放出源と電気的に連結される。上記ゲート電極ラインにおいて，上記カソード電極ラインと対向する領域には，上記電子放出源に対応する貫通口が形成される。上記蛍光セルは，上記ゲート電極ラインの貫通口に対応して形成される。上記正極板には，電子放出源からの電子が上記蛍光セルに移動するように電圧が印加される。
【０００７】
ここで，電子放出ディスプレイ装置は，単位フレーム毎に走査パルスを上記ゲート電極ラインに順次印加し，上記ゲート電極ラインが上記カソード電極ラインの駆動端子と遠くなるほど，上記ゲート電極ラインに印加する基準電圧を高くすることによって各走査パルスの電位が上昇するように制御する。
【０００８】
これにより，本発明の上記電子放出ディスプレイ装置によれば，上記ゲート電極ラインの基準電位のみを調整することによって，カソード電極ラインの内部抵抗による輝度偏差が効率的に補正される。この結果，ディスプレイされる映像の再現性を高めることができる。
【０００９】
ここで，前記単位フレーム毎の前記ゲート電極ラインの平均基準電位が前記単位フレーム毎の平均階調に反比例するようにしてもよい。これにより，暗い映像及び明るい映像のディスプレイの品質が効率的に向上する。
【発明の効果】
【００１０】
本発明による電子放出ディスプレイ装置によれば，ゲート電極ラインの基準電位のみを調整することによって，カソード電極ラインの内部抵抗による輝度偏差が効率的に補正される。これにより，ディスプレイされる映像の再現性を高めることができる。
【００１１】
また，それぞれのフレームでの上記ゲート電極ラインの平均基準電位がそれぞれのフレームでの平均階調に反比例することにより，暗い映像及び明るい映像のディスプレイの品質を効率的に向上することができる。
【発明を実施するための最良の形態】
【００１２】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００１３】
図１は，本発明の一実施形態にかかる電子放出ディスプレイ装置の構成を示す。図３は，図１の電源供給部１９から各部に供給される電圧を示す。図１及び図３を参照すれば，本発明の一実施形態にかかる電子放出ディスプレイ装置は，電子放出ディスプレイパネル１１及びこの電子放出ディスプレイパネル１１の駆動装置を含む。この駆動装置は，電源供給部１９と，走査駆動部１７と，データ駆動部１８と，フレームメモリ１２と，制御素子１５と，を含む。
【００１４】
電源供給部１９は，フレームメモリ１２にシステム基準電圧ＶＳＧ及び動作電圧Ｖ１２Ｈを印加し，制御素子１５に上記システム基準電圧ＶＳＧ及び動作電圧Ｖ１５Ｈを印加し，走査駆動部１７に動作電圧Ｖ１７Ｈ及び可変基準電圧Ｖ１７Ｇを印加し，データ駆動部１８に動作電圧Ｖ１８Ｈ及び上記システム基準電圧ＶＳＧを印加し，電子放出ディスプレイパネル１１の正極板２２に正極電圧ＶＡを印加し，電子放出ディスプレイパネル１１のフォーカシング電極板３６にフォーカシング電圧ＶＦを印加する。
【００１５】
ここで，電源供給部１９は，制御素子１５からの制御信号に応じて動作して，単位フレームで走査パルスがゲート電極ラインＧ１〜Ｇｎに順次に印加されることにおいて，ゲート電極ラインＧ１〜Ｇｎがカソード電極ラインＣＲ１〜ＣＢｍの駆動端子と遠くなるほど走査駆動部１７への可変基準電圧Ｖ１７Ｇを上昇する。これについては，後程，図４〜図７を参照して詳細に説明する。
【００１６】
走査駆動部１７は，電子放出ディスプレイパネル１１の走査電極ラインとしてのゲート電極ラインＧ１〜Ｇｎを駆動する。データ駆動部１８は，電子放出ディスプレイパネル１１のデータ電極ラインとしてのカソード電極ラインＣＲ１〜ＣＢｍを駆動する。フレームメモリ１２には，ディジタル映像データが一時的に貯蔵される。
【００１７】
制御素子１５は，単一集積回路素子例えば，ＦＰＧＡ（Field-Programmable Gate Array）で形成され，次の通りの多様な機能を遂行する。第一に，入力映像信号ＳＩＭをディジタル映像データに変換させ，ディジタル映像データをフレームメモリ１２に一時的に貯蔵しつつ，階調ディスプレイのためのパルス幅変調データ及びタイミング制御信号を発生させる。
【００１８】
第二に，制御素子１５は，発生したパルス幅変調データ及びタイミング制御信号に応じて，データ駆動部１８にパルス幅変調データＳＤＤ及びタイミング制御信号ＳＤＴを提供し，走査駆動部１７にタイミング制御信号ＳＳを提供する。
【００１９】
第三に，制御素子１５は，単位フレームで走査パルスがゲート電極ラインＧ１〜Ｇｎに順次に印加される場合において，ゲート電極ラインＧ１〜Ｇｎがカソード電極ラインＣＲ１〜ＣＢｍの駆動端子と遠くなるほど，走査駆動部１７への可変基準電圧Ｖ１７Ｇが上昇するように，電源供給部１９に制御信号を提供する。これに関しては，後程，図４〜図７を参照して詳細に説明する。
【００２０】
一方，図２を参照すれば，図１の電子放出ディスプレイパネル１１は，前面パネル２と背面パネル３とがスペースバー４１〜４４により支持される。ここで，図２に示されたスペースバー４１〜４４以外にも多数のスペースバーがフォーカシング電極板３６上に存在する。
【００２１】
背面パネル３は，後側基板３１と，カソード電極ラインＣＲ１〜ＣＢｍと，電子放出源ＥＲ１１〜ＥＢｎｍと，第１の絶縁層３３と，ゲート電極ラインＧ１〜Ｇｎと，第２の絶縁層３５と，フォーカシング電極板３６と，を含む。
【００２２】
データ信号が印加されるカソード電極ラインＣＲ１〜ＣＢｍは，電子放出源ＥＲ１１〜ＥＢｎｍと電気的に連結される。第１の絶縁層３３，ゲート電極ラインＧ１〜Ｇｎ，第２の絶縁層３５及びフォーカシング電極板３６には，電子放出源ＥＲ１１〜ＥＢｎｍに対応する貫通口ＨＲ１１〜ＨＢｎｍが形成される。したがって，走査信号が印加されるゲート電極ラインＧ１〜Ｇｎで，カソード電極ラインＣＲ１〜ＣＢｍと対向する領域に貫通口ＨＲ１１〜ＨＢｎｍが形成される。フォーカシング電極板３６には，フォーカシング電圧ＶＦが印加される。
【００２３】
前面パネル２は，前側透明基板２１と，正極板２２と，蛍光セルＦＲ１１〜ＦＢｎｍとを含む。蛍光セルＦＲ１１〜ＦＢｎｍは，フォーカシング電極板３６の貫通口ＨＲ１１〜ＨＢｎｍに対応して形成される。正極板２２には，電子放出源ＥＲ１１〜ＥＢｎｍからの電子が蛍光セルに移動するように１キロボルト（ＫＶ）〜４キロボルトの高い正極性電圧ＶＡが印加される。
【００２４】
図４は，図２のゲート電極ラインＧ１〜Ｇｎ，フォーカシング電極板３６及びカソード電極ラインＣＲ１〜ＣＢｍに印加される駆動信号の一例を示す。図４で参照符号ＳＧ１は，ゲート電極ラインＧ１〜Ｇｎの中で第１のゲート電極ラインＧ１に印加される駆動信号を，ＳＧ２は，ゲート電極ラインＧ１〜Ｇｎの中で第２のゲート電極ラインに印加される駆動信号を，ＳＧｎは，ゲート電極ラインＧ１〜Ｇｎの中で第ｎのゲート電極ラインＧｎに印加される駆動信号を，Ｓ３６は，フォーカシング電極板３６に印加されるフォーカシング電圧を，そしてＳＣＲ１〜ＳＣＢｍは，カソード電極ラインＣＲ１〜ＣＢｍに印加される駆動信号をそれぞれ示す。
【００２５】
図２〜図４を参照して，本発明の一実施形態による駆動信号を説明すれば次の通りである。垂直駆動周期ＴＶＤＲ１は，垂直ディスプレイ周期ＴＤＩＳＰ１及び垂直同期周期ＴＶＳＹＮ１を含む。垂直駆動周期ＴＶＤＲ１で，正極板２２には，上記走査パルスの最高電位より高い正極性電圧が印加される。
【００２６】
垂直ディスプレイ周期ＴＤＩＳＰ１において，設定正極性電圧Ｖ１７Ｈが可変基準電圧Ｖ１７Ｇ１〜Ｖ１７Ｇ２に加えられた可変正極性電圧Ｖ１７Ｇ１＋Ｖ１７Ｈ〜Ｖ１７Ｇ２＋Ｖ１７Ｈと，設定パルス幅ＴＨＤＲを有した正極性走査パルスとがゲート電極ラインＧ１〜Ｇｎに順次印加される。すなわち，ゲート電極ラインＧ１〜Ｇｎがカソード電極ラインＣＲ１〜ＣＢｍの駆動端子と遠くなるほどゲート電極ラインＧ１〜Ｇｎの基準電位が上昇することによって各走査パルスの電位が上昇する。
【００２７】
このように，ゲート電極ラインＧ１〜Ｇｎの基準電位のみを調整することによって，カソード電極ラインＣＲ１〜ＣＢｍの内部抵抗による輝度偏差を効率的に補正することができる。これにより，ディスプレイされる映像の再現性を高めることができる。
【００２８】
他方，上記のように走査パルスがゲート電極ラインＧ１〜Ｇｎに順次に印加される間に，カソード電極ラインＣＲ１〜ＣＢｍの一定した基準電圧すなわち，システム基準電圧ＶＳＧより高い駆動電圧すなわち，バイアス電圧Ｖ１８Ｈから上記基準電圧ＶＳＧに下降するデータパルスがカソード電極ラインＣＲ１〜ＣＢｍに印加される。
【００２９】
ここで，カソード電極ラインの駆動端子と一番近い第１のゲート電極ラインＧ１の基準電圧Ｖ１７Ｇ１はカソード電極ラインの基準電圧ＶＳＧより高い。これにより，カソード電極ラインＣＲ１〜ＣＢｍのバイアス電圧Ｖ１８Ｈと，走査されないゲート電極ラインの可変基準電圧Ｖ１７Ｇ１〜Ｖ１７Ｇ２の間の差が挟まり，非正常的な放電によるコントラストの低下が防止されうる。
【００３０】
カソード電極ラインＣＲ１〜ＣＢｍに印加されるデータ信号のパルス幅ＴＤＰＷは，階調によって変わる。例えば，最高階調データを有した負極性のデータパルスの幅ＴＤＰＷは，正極性の走査パルスＴＨＤＲの幅と同一である。また，最低階調データである場合，負極性のデータパルスの幅ＴＤＰＷが零なので，０ボルト（Ｖ）の接地電圧が印加される。したがって，任意のカソード電極ラインが持続的に最低階調を維持する場合，０ボルト（Ｖ）の接地電圧が持続的に維持される。
【００３１】
フォーカシング電極板３６には，貫通口ＨＲ１１〜ＨＢｎｍからの電子のフォーカシングのための正極性電圧ＶＦが印加される。
【００３２】
次に，垂直同期周期ＴＶＳＹＮ１において，全てのゲート電極ラインＧ１〜Ｇｎに最低基準電圧Ｖ１７Ｇ１が印加され，全てのカソード電極ラインＣＲ１〜ＣＢｍにバイアス電圧Ｖ１８Ｈが印加され，フォーカシング電極板３６にフォーカシング電圧ＶＦが印加される。上記のように，正極板２２には，走査パルスの最高電圧Ｖ１７Ｇ２＋Ｖ１７Ｈより高い正極性電圧が印加される。
【００３３】
図１及び図５を参照すれば，図４の駆動信号を発生させるための図１の制御素子１５は，アナログ−ディジタル変換部１５１と，フレームメモリ制御部１５３と，ガンマ訂正部１５４と，信号変換部１５５と，第１のラインメモリ１５６と，第２のラインメモリ１５７と，駆動制御部１５８と，を含む。
【００３４】
アナログ−ディジタル変換部１５１は，入力映像信号ＳＩＭをディジタル映像データＳＤ１及びタイミング制御信号ＳＴに変換させる。アナログ−ディジタル変換部１５１からのタイミング制御信号ＳＴは，電源供給部１９，フレームメモリ制御部１５３，ガンマ訂正部１５４及び信号変換部１５５にそれぞれ印加される。
【００３５】
上記のように，電源供給部１９は，制御素子１５のアナログ−ディジタル変換部１５１からのタイミング制御信号ＳＴに応じて動作して，単位フレームで走査パルスがゲート電極ラインＧ１〜Ｇｎに順次に印加されるにおいて，ゲート電極ラインＧ１〜Ｇｎがカソード電極ラインＣＲ１〜ＣＢｍの駆動端子と遠くなるほど走査駆動部１７への可変基準電圧Ｖ１７Ｇが上昇する。
【００３６】
フレームメモリ制御部１５３は，アナログ−ディジタル変換部１５１からのタイミング制御信号ＳＴに応じて動作して，アナログ−ディジタル変換部１５１からのディジタル映像データＳＤ２をフレームメモリ９２に一時的に貯蔵した後，フレームメモリ１２からのディジタル映像データＳＤ３を出力する。
【００３７】
ガンマ訂正部１５４は，アナログ−ディジタル変換部１５１からタイミング制御信号ＳＴに応じて動作して，フレームメモリ制御部１５３からのディジタル映像データＳＤ３のガンマ特性を訂正する。参考までに，入力映像信号ＳＩＭには，陰極線管の逆ガンマディスプレイ特性を補正するためにガンマ特性が含まれている。したがって，線型ディスプレイ特性を有した電子放出ディスプレイパネル１１の駆動のためには入力映像信号ＳＩＭに逆ガンマ特性を含ませる訂正が必要である。
【００３８】
信号変換部１５５は，アナログ−ディジタル変換部１５１からのタイミング制御信号ＳＴに応じて動作して，ガンマ訂正部１５４からのディジタル映像データＳＤ４をパルス幅変調データＳ１Ｄに変換させ，調整されたタイミング制御信号Ｓ１Ｔを発生させる。
第１及び第２のラインメモリ１５６，１５７は，信号変換部１５５からのパルス幅変調データＳ１Ｄを走査ライン単位に交代に出力する。
【００３９】
駆動制御部１５８は，第１及び第２のラインメモリ１５６，１５７からのパルス幅変調データＳ１Ｄ１，Ｓ１Ｄ２が入力され，信号変換部１５５からのタイミング制御信号Ｓ１Ｔに応じて動作して，データ駆動部１８にパルス幅変調データＳＤＤ及びタイミング制御信号ＳＤＴを提供し，走査駆動部１７にタイミング制御信号ＳＳを提供する。
【００４０】
図６は，図２のゲート電極ラインＧ１〜Ｇｎ，フォーカシング電極板３６及びカソード電極ラインＣＲ１〜ＣＢｍに印加される駆動信号のさらに他の例を示すタイミング図である。図６で，図４と同一な参照符号は，同一な機能の対象を示す。したがって，図４及び図６を参照して，図６の駆動信号が図４のものに比べて異なる点のみを説明すれば次の通りである。図４の例では，第１の垂直ディスプレイ周期ＴＤＩＳＰ１でのゲート電極ラインＧ１〜Ｇｎの駆動波形は，第２の垂直ディスプレイ周期ＴＤＩＳＰ２でのものと同一である。
【００４１】
しかし，図６の例では，それぞれのフレームすなわち，それぞれの垂直ディスプレイ周期ＴＤＩＳＰ１，ＴＤＩＳＰ２，・・・の平均基準電位がそれぞれの垂直ディスプレイ周期の平均階調に反比例する。例えば，第２の垂直ディスプレイ周期ＴＤＩＳＰ２での平均階調が第１の垂直ディスプレイ周期ＴＤＩＳＰ１でのものより低ければ，図６に示されたように，第２の垂直ディスプレイ周期ＴＤＩＳＰ２での可変基準電位が第１の垂直ディスプレイ周期ＴＤＩＳＰ１でのものより高い。図６を参照すれば，カソード電極ラインＣＲ１〜ＣＢｍの駆動端子と一番近い第１のゲート電極ラインＧ１の基準電位において，第２の垂直ディスプレイ周期ＴＤＩＳＰ２での電圧Ｖ１７Ｇ３が第１の垂直ディスプレイ周期ＴＤＩＳＰ１での電圧Ｖ１７Ｇ１より高いことが分かる。これにより，暗い映像及び明るい映像のディスプレイ品質が効率的に向上されうる。
【００４２】
図７は，図６の駆動信号を発生させるための図１の制御素子１５の内部構成を示す。図７で図５と同一な参照符号は同一な機能の対象を示す。図５及び図７を参照すれば，図７の制御素子は，図５のものに比べて加算器７１，分割器７２，比較器７３及びＥＥＰＲＯＭ（Electrically Erasable and Programmable Read Only Memory）７４がさらに含まれている。また，上記比較器７３からの制御信号ＳＬＥすなわち，平均基準電位のデータＳＬＥが電源供給部１９に追加的に入力される。
【００４３】
したがって，上記追加事項のみを説明すれば，次の通りである。加算器７１は，上記ガンマ訂正部１５４からのディジタル映像データＳＤ４が入力されて現在フレームの全ての画素の階調の和である総階調を求める。分割器７２は，加算器７１からの総階調を総画素数で割り，その結果である現在フレームの平均階調を求める。ＥＥＰＲＯＭ７４には，フレームの平均階調に相応する基準データが貯蔵されている。
【００４４】
これにより，比較器７３は，分割器７２からの現在フレームの平均階調とこれに相応する基準データを互いに比較して，その結果である現在フレームの上記平均基準電位のデータＳＬＥを発生させる。発生された平均基準電位のデータＳＬＥは，電源供給部１９に追加的に入力される。
【００４５】
前述したように，電源供給部１９は，アナログ−ディジタル変換部１５１からのタイミング制御信号ＳＴに応じて動作して，単位フレームで走査パルスがゲート電極ラインＧ１〜Ｇｎに順次に印加されるにおいて，ゲート電極ラインＧ１〜Ｇｎがカソード電極ラインＣＲ１〜ＣＢｍの駆動端子と遠くなるほど走査駆動部１７への可変基準電圧Ｖ１７Ｇが上昇する。また，電源供給部１９は，比較器７３からの基準電位のデータＳＬＥにより，それぞれのフレームすなわち，それぞれの垂直ディスプレイ周期ＴＤＩＳＰ１，ＴＤＩＳＰ２，・・・での走査駆動部１７の平均基準電位がそれぞれの垂直ディスプレイ周期の平均階調に反比例するように出力する。
【００４６】
上記実施形態において，各部の動作はお互いに関連しており，互いの関連を考慮しながら，一連の動作として置き換えることができる。そして，このように置き換えることにより，方法の発明の実施形態とすることができる。
【００４７】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００４８】
本発明は，電子放出ディスプレイ装置において，ディスプレイされる映像の再現性が高まり，暗い映像及び明るい映像のディスプレイ品質が効率的に向上され，本発明は，電子ディスプレイ関連の技術分野に適用可能である。
【図面の簡単な説明】
【００４９】
【図１】本発明の一実施形態にかかる電子放出ディスプレイ装置の構成を示すブロック図である。
【図２】図１の電子放出ディスプレイパネルを示す分離斜視図である。
【図３】図１の電源供給部から各部に供給される電圧を示すブロック図である。
【図４】図２のゲート電極ライン，フォーカシング電極板及びカソード電極ラインに印加される駆動信号の一例を示すタイミング図である。
【図５】図４の駆動信号を発生させるための図１の制御素子の内部構成を示すブロック図である。
【図６】図２のゲート電極ライン，フォーカシング電極板及びカソード電極ラインに印加される駆動信号のさらに他の例を示すタイミング図である。
【図７】図６の駆動信号を発生させるための図１の制御素子の内部構成を示すブロック図である。
【符号の説明】
【００５０】
２            前面パネル
３            背面パネル
１１          電子放出ディスプレイパネル
１２          フレームメモリ
１５          制御素子
１７            査駆動部
１８            データ駆動部
１９            電源供給部
２１            前側基板
２２            正極板
３１            後側基板
３３            第１の絶縁層
３５            第２の絶縁層
３６            フォーカシング電極板
４１〜４４      スペースバー
ＣＲ１〜ＣＢｍ      カソード電極ライン
ＥＲ１１〜ＥＢｎｍ    電子放出源
ＦＲ１１〜ＦＢｎｍ    蛍光セル
Ｇ１〜Ｇｎ        ゲート電極ライン
ＨＲ１１〜ＨＢｎｍ    貫通口
Ｖ１７Ｇ            走査基準電圧
【図１】
2006178394.tif 000003
【図２】
2006178394.tif 000004
【図３】
2006178394.tif 000005
【図４】
2006178394.tif 000006
【図５】
2006178394.tif 000007
【図６】
2006178394.tif 000008
【図７】
2006178394.tif 000009